(57)【要約】【課題】食器の乾燥を速め、ウォータースポットの低減を可能にする食器洗浄機用仕上げ剤組成物を提供する。【解決手段】特定の構成単位（ａ１）、（ａ２）及び（ａ３）を含有する水溶性高分子化合物を含有する食器洗浄機用仕上げ剤組成物。【選択図】なし【特許請求の範囲】
【請求項１】
（Ａ）下記一般式（１）で表される構成単位（ａ１）、下記一般式（２）で表される構成単位（ａ２）、及び下記一般式（３）で表される構成単位（ａ３）を含有する水溶性高分子化合物を含有する食器洗浄機用仕上げ剤組成物。
【化１】
2008156521.tif 000005
〔式中、Ｒは炭素数１〜３のアルキル基であり、Ｘは分子中にカチオン基を有し且つビニルアルコール低級（炭素数１〜３）脂肪酸エステルと共重合可能な不飽和化合物に由来する構成単位である。〕
【請求項２】
前記（Ａ）の構成単位中、構成単位（ａ１）、構成単位（ａ２）及び構成単位（ａ３）の合計が５０〜１００モル％である請求項１記載の食器洗浄機用仕上げ剤組成物。
【請求項３】
前記（Ａ）の構成単位中、構成単位（ａ３）が０．００５〜１０モル％である請求項１又は２記載の食器洗浄機用仕上げ剤組成物。
【請求項４】
前記（Ａ）の構成単位中、構成単位（ａ３）が下記一般式（３−１）で表される化合物及び下記一般式（３−２）で表される化合物から選ばれる化合物に由来するものである請求項１〜３の何れか１項記載の食器洗浄機用仕上げ剤組成物。
【化２】
2008156521.tif 000006
［式中、Ｒ1、Ｒ2、Ｒ3、Ｒ7、Ｒ8、Ｒ9は、それぞれ独立して、水素原子、水酸基又は炭素数１〜３のアルキル基である。Ｘ、Ｙは、それぞれ独立して、炭素数１〜１２のアルキレン基、−ＣＯＯＲ12−、−ＣＯＮＨＲ12−、−ＯＣＯＲ12−、−Ｒ13−ＯＣＯ−Ｒ12−から選ばれる基である。ここでＲ12、Ｒ13は、それぞれ独立して、炭素数１〜５のアルキレン基である。Ｒ4は炭素数１〜３のアルキル基もしくはヒドロキシアルキル基又はＲ1Ｒ2Ｃ＝Ｃ(Ｒ3)−Ｘ−である。Ｒ5は炭素数１〜３のアルキル基、ヒドロキシアルキル基、ベンジル基であり、Ｒ6はヒドロキシ基、カルボキシル基、スルホン酸基、硫酸エステル基で置換されていてもよい炭素数１〜１０のアルキル基、又はベンジル基であり、Ｒ6がアルキル基、ヒドロキシアルキル基、又はベンジル基の場合は、Ｚ-は陰イオンを示す。Ｒ6がカルボキシル基、スルホン酸基、硫酸エステル基を含む場合、Ｚ-は存在せず、Ｒ6中のこれらの基は陰イオンとなる。Ｒ10は水素原子、炭素数１〜３のアルキル基もしくはヒドロキシアルキル基又はＲ7Ｒ8Ｃ＝Ｃ(Ｒ9)−Ｙ−である。Ｒ11は水素原子、炭素数１〜３のアルキル基もしくはヒドロキシアルキル基である。］
【請求項５】
更に、（Ｂ）界面活性剤を含有する請求項１〜４の何れか１項記載の食器洗浄機用仕上げ剤組成物。
【請求項６】
前記（Ｂ）成分がノニオン界面活性剤である請求項５記載の食器洗浄機用仕上げ剤組成物
【請求項７】
食器洗浄機により食器洗浄機用洗浄剤を用いて食器を洗浄後、請求項１〜６の何れか１項記載の食器洗浄機用仕上げ剤組成物を含んだ濯ぎ水で食器洗浄機により食器の濯ぎ処理を行なう食器の仕上げ方法。
【発明の詳細な説明】
【技術分野】
【０００１】
本発明は食器洗浄機で使用するための仕上げ剤組成物に関するものである。特に業務用の食器洗浄機で使用するための仕上げ剤組成物に関するものである。本発明の食器洗浄機用仕上げ剤組成物は、陶磁器、ガラス、プラスチックなどの食器の乾燥を速め、ウォータースポットの低減を可能にする。
【背景技術】
【０００２】
食器洗浄機は汚れた皿、グラス、料理器具などの食器を洗浄する設備であり、家庭やレストラン、喫茶店などの厨房で使用されている。通常、食器洗浄は洗浄工程―濯ぎ工程の順で行われ、洗浄工程には手洗い用食器洗浄剤と異なる、無泡性或いは低泡性の食器洗浄機用洗浄剤が使用されている。また、レストラン、喫茶店などの厨房で使用されている業務用食器洗浄機には濯ぎ工程で仕上げ剤（リンス剤とも言う）が使用されている。
【０００３】
仕上げ剤は食器の乾燥を早め、ウォータースポットとよばれる白斑を低減して美観良く仕上げるため、５０〜１００ｐｐｍの濃度範囲で濯ぎ水に添加して使用される。ウォータースポットは食器表面に付着した水滴が流れ落ちる前に乾燥して、カルシウム、マグネシウム、シリカなどの硬度成分が食器表面に沈着したものである。特にガラス製食器の場合は美観を大きく損なう。
【０００４】
一般的に仕上げ剤にはグリセリン脂肪酸エステルやソルビタン脂肪酸エステルなどのノニオン性界面活性剤が配合されており、濯ぎ水を乳化して食器との表面張力を下げて水滴を流れ落ちやすくする。その結果、食器の乾燥が速くなり、ウォータースポットを低減させることができる。したがって、食器の使用頻度が高いレストランや喫茶店ではリンス剤を使用している。
【０００５】
しかし、仕上げ剤にはウォータースポットを低減する効果は認められるものの、決して満足できるものではなく、レストランや喫茶店などでは、食器に付着したウォータースポットを取り除くため、タオルで拭き取る作業を行っているのが実状である。
【０００６】
特許文献１には、硬質表面に親水性処理を提供するため、重合形態で、第四級アンモニウム官能基及びエチレン性不飽和を含有する２個の基を有する単量体と、適用媒体中においてイオン化することができる基を有する親水性単量体と、任意成分としてエチレン性不飽和親水性単量体とを含む水溶性又は水分散性共重合体を使用する方法が開示されている。
【０００７】
特許文献２には、硬質表面に耐食性を付与するため、第四級アンモニウム官能基及びエチレン性不飽和を有するモノマーと、適用媒体中においてイオン化することができる酸性の性質を有する官能基を保持する親水性モノマーと、任意成分として中性電荷を有するエチレン性不飽和を有するモノマーを重合された単位の形態で含む水溶性又は水分散性共重合体を含む清浄用又はすすぎ用組成物が開示されている。
【特許文献１】特表２００３−５０５５３５号公報
【特許文献２】特表２００３−５０５５３４号公報
【発明の開示】
【発明が解決しようとする課題】
【０００８】
本発明の課題は、陶磁器、ガラス、プラスチックなどの食器の乾燥を速め、ウォータースポットの低減を可能にし、且つ低泡性にも優れた食器洗浄機用仕上げ剤組成物を提供することにある。
【課題を解決するための手段】
【０００９】
本発明は、（Ａ）下記一般式（１）で表される構成単位（ａ１）、下記一般式（２）で表される構成単位（ａ２）、及び下記一般式（３）で表される構成単位（ａ３）を含有する水溶性高分子化合物〔以下、（Ａ）成分という〕を含有する食器洗浄機用仕上げ剤組成物に関する。
【００１０】
【化３】
2008156521.tif 000002
【００１１】
〔式中、Ｒは炭素数１〜３のアルキル基であり、Ｘは分子中にカチオン基を有し且つビニルアルコール低級（炭素数１〜３）脂肪酸エステルと共重合可能な不飽和化合物に由来する構成単位である。〕
【００１２】
また、本発明は、食器洗浄機により食器洗浄機用洗浄剤を用いて食器を洗浄後、上記本発明の食器洗浄機用仕上げ剤組成物を含んだ濯ぎ水で食器洗浄機により食器の濯ぎ処理を行なう食器の仕上げ方法に関する。
【発明の効果】
【００１３】
本発明によれば、陶磁器、ガラス、プラスチックなどの食器の乾燥を速め、ウォータースポットの低減を可能にする食器洗浄機用仕上げ剤組成物が提供される。
【発明を実施するための最良の形態】
【００１４】
＜（Ａ）成分＞
構成単位（ａ１）と構成単位（ａ２）と構成単位（ａ３）とを有する（Ａ）成分の水溶性高分子化合物は、構成単位（ａ２）の由来となる単量体化合物と構成単位（ａ３）の由来となる単量体化合物とを共重合し、部分的にケン化することで得ることができる。例えば、一般式（２）中のＲがメチル基である高分子化合物として、重合性カチオン単量体（構成単位（ａ３）の由来となる化合物）と酢酸ビニルの共重合体を部分ケン化することで得られるカチオン化ポリビニルアルコールを使用することができる。
【００１５】
構成単位（ａ１）及び構成単位（ａ２）のモル比は、溶解性および仕上がり性の観点から、（ａ１）／（ａ２）が１，０００〜１、更に５００〜１、より更に３００〜１、特に２００〜１、最も１００〜２が好ましい。
【００１６】
ここで、構成単位（ａ３）の由来となる単量体化合物は、分子中に１つ以上のカチオン基を有し、且つビニルアルコール低級（炭素数１〜３）脂肪酸エステル（構成単位（ａ１）、（ａ２）の由来となる単量体化合物）と共重合可能な化合物であり、下記一般式（３−１）で表される化合物及び下記一般式（３−２）で表される化合物から選ばれる化合物が挙げられる。
【００１７】
【化４】
2008156521.tif 000003
【００１８】
［式中、Ｒ1、Ｒ2、Ｒ3、Ｒ7、Ｒ8、Ｒ9は、それぞれ独立して、水素原子、水酸基又は炭素数１〜３のアルキル基である。Ｘ、Ｙは、それぞれ独立して、炭素数１〜１２のアルキレン基、−ＣＯＯＲ12−、−ＣＯＮＨＲ12−、−ＯＣＯＲ12−、−Ｒ13−ＯＣＯ−Ｒ12−から選ばれる基である。ここでＲ12、Ｒ13は、それぞれ独立して、炭素数１〜５のアルキレン基である。Ｒ4は炭素数１〜３のアルキル基もしくはヒドロキシアルキル基又はＲ1Ｒ2Ｃ＝Ｃ(Ｒ3)−Ｘ−である。Ｒ5は炭素数１〜３のアルキル基、ヒドロキシアルキル基、ベンジル基であり、Ｒ6はヒドロキシ基、カルボキシル基、スルホン酸基、硫酸エステル基で置換されていてもよい炭素数１〜１０のアルキル基、又はベンジル基であり、Ｒ6がアルキル基、ヒドロキシアルキル基、又はベンジル基の場合は、Ｚ-は陰イオンを示す。Ｒ6がカルボキシル基、スルホン酸基、硫酸エステル基を含む場合、Ｚ-は存在せず、Ｒ6中のこれらの基は陰イオンとなる。Ｒ10は水素原子、炭素数１〜３のアルキル基もしくはヒドロキシアルキル基又はＲ7Ｒ8Ｃ＝Ｃ(Ｒ9)−Ｙ−である。Ｒ11は水素原子、炭素数１〜３のアルキル基もしくはヒドロキシアルキル基である。］
【００１９】
構成単位（ａ３）の由来となる具体的な単量体化合物としては、ジアリルジアルキル（該アルキル基の炭素数は１〜３）アンモニウム塩、Ｎ-（メタ）アクリロイルアミノアルキル（該アルキル基の炭素数は１〜５）-Ｎ，Ｎ-ジアルキル（該アルキル基の炭素数は１〜３）アンモニウム塩、Ｎ-（メタ）アクリロイルアミノアルキル（該アルキル基の炭素数は１〜５）-Ｎ，Ｎ，Ｎ-トリアルキル（該アルキル基の炭素数は１〜３）アンモニウム塩、Ｎ-（メタ）アクリロイルオキシアルキル（該アルキル基の炭素数は１〜５）-Ｎ，Ｎ，Ｎ-トリアルキル（アルキル基の炭素数は１〜３）アンモニウム塩、及びＮ-（ω-アルケニル（該アルケニル基の炭素数は２〜１０））-Ｎ，Ｎ-ジアルキル（該アルキル基の炭素数は１〜３）アンモニウム塩から選ばれる化合物が挙げられる。
【００２０】
（Ａ）成分の構成単位中、構成単位（ａ１）、構成単位（ａ２）及び構成単位（ａ３）の合計は、仕上がり性の観点から、５０〜１００モル％、更に６０〜１００モル％、特に８０〜１００モル％が好ましい。
【００２１】
（Ａ）成分の構成単位中、カチオン基を含む構成単位（ａ３）は、仕上がり性の観点から、０．００５〜１０モル％、更に０．０１〜５モル％、特に０．０１〜３モル％が好ましい。
【００２２】
（Ａ）成分は、ノニオン性モノマーに由来する構造単位〔以下、構成単位（ａ４）という〕を含むこともできる。構成単位（ａ４）としては、下記（ｉ）〜（iii）から選ばれるモノマーが挙げられる。
【００２３】
（ｉ）アクリル（又はメタクリル）アミド、Ｎ，Ｎ−ジメチルアミノプロピルアクリル酸（又はメタクリル酸）アミド、Ｎ，Ｎ−ジメチルアクリル（又はメタクリル）アミド、Ｎ，Ｎ−ジメチルアミノエチルアクリル酸（又はメタクリル酸）アミド、Ｎ，Ｎ−ジメチルアミノメチルアクリル酸（又はメタクリル酸）アミド、Ｎ−ビニル−２−カプロラクタム、Ｎ−ビニル−２−ピロリドンから選ばれるアミド基含有化合物
【００２４】
（ii）アクリル酸（又はメタクリル酸）アルキル（炭素数１〜５）、アクリル酸（又はメタクリル酸）２−ヒドロキシエチル、アクリル酸（又はメタクリル酸）−Ｎ，Ｎ−ジメチルアミノアルキル（炭素数１〜５）、マレイン酸ジアルキル（炭素数１〜５）から選ばれるエステル基含有化合物
【００２５】
（iii）エチレン、プロピレン、ｎ−ブチレン、イソブチレン、ｎ−ペンテン、イソプレン、２−メチル−１−ブテン、ｎ−ヘキセン、２−メチル−１−ペンテン、３−メチル−１−ペンテン、４−メチル−１−ペンテン、２−エチル−１−ブテン、スチレン、ビニルトルエン、α−メチルスチレンから選ばれるオレフィン系化合物
【００２６】
（Ａ）成分の重量平均分子量は１０，０００〜１，０００，０００、更に１０，０００〜５００，０００、特に１０，０００〜２００，０００が好ましい。ここでいう重量平均分子量は、ゲルパーミエーションクロマトグラフィーでポリエチレングリコールを標準として求めることができる。
【００２７】
＜（Ｂ）成分＞
本発明の食器洗浄機用仕上げ剤組成物は、低泡性、乾燥速度向上及びウォータースポット低減の観点から、（Ｂ）成分として界面活性剤を含有することが好ましい。（Ｂ）成分としては、アニオン性界面活性剤、カチオン性界面活性剤、両性界面活性剤、ノニオン性界面活性剤から選ばれる１種以上を用いることができる。
【００２８】
アニオン性界面活性剤としては、アルキルベンゼンスルホン酸塩、アルカンスルホン酸塩、α−オレフィンスルホン酸塩、アルキル硫酸エステル塩、ポリオキシエチレン（平均付加モル数１〜１０）アルキルエーテル硫酸エステル塩、ポリオキシエチレン（平均付加モル数１〜１０）アルキルエーテル酢酸塩、脂肪酸塩等を挙げることができる。また、塩としてはアンモニウム塩、ナトリウム塩又はカリウム塩が好ましい。
【００２９】
カチオン性界面活性剤としては、アルキルトリメチルアンモニウム塩、ジアルキルジメチルアンモニウム塩、アルキルアンモニウム塩、ベンザルコニム塩、ベンゼトニウム塩、イミダゾリウム塩、ピリジニウム塩等を挙げることができる。また、塩としてはハロゲンが好ましい。
【００３０】
両性界面活性剤としては、アルキルジメチルアミンオキサイド、アルキルジメチルアミノ酢酸ベタイン、アルキルヒドロキシスルホベタイン、アルキルアミドプロピルベタイン、アルキルカルボキシメチルヒドロキシエチルイミダゾリウムベタイン等を挙げることができる。
【００３１】
ノニオン性界面活性剤としては、グリセリン脂肪酸エステル、ポリグリセリン脂肪酸エステル、プロピレングリコール脂肪酸エステル、ポリエチレングリコール脂肪酸エステル、ソルビタン脂肪酸エステル、ショ糖脂肪酸エステル、ポリオキシエチレンソルビタン脂肪酸エステル、アルキルポリグルコシド、ポリオキシエチレンアルキルエーテル、ポリオキシエチレンジアルキルエーテル、ポリオキシエチレングリコール、ポリオキシエチレンポリオキシプロピレングリコール、ポリオキシプロピレンポリオキシエチレンポリオキシプロピレングリコール等を挙げることができる。
【００３２】
（Ｂ）成分としては、ノニオン性界面活性剤が好ましく、低泡性、乾燥速度向上及びウォータースポット低減の観点から、下記一般式（４）で表されるノニオン性界面活性剤〔以下、（Ｂ１）成分という〕が好ましい。
Ｒ14−（ＡＯ）n−Ｒ15        （４）
［式中、Ｒ14、Ｒ15は、それぞれ独立して、水素原子、又は直鎖もしくは分岐鎖の炭素数１〜２４のアルキル基である。ｎは平均付加モル数であり、１〜５００の数である。Ａは同一又は異なってエチレン基、プロピレン基、又はブチレン基である。］
【００３３】
（Ｂ１）成分中、Ｒ14、Ｒ15はそれぞれ独立して、好ましくは水素原子、又は直鎖もしくは分岐鎖の炭素数６〜１８のアルキル基、より好ましくは水素原子、又は直鎖もしくは分岐鎖の炭素数８〜１４のアルキル基である。ｎは平均付加モル数であり、好ましくは１〜４００、より好ましくは１〜３５０、更に好ましくは１〜２００、特に好ましくは１〜１００の数である。Ａは同一又は異なって、好ましくはエチレン基、プロピレン基である。（Ｂ１）成分は、「プルラファック」（Plurafac）の商品名でＢＡＳＦ社から入手可能である。
【００３４】
更に、無泡性、低泡性、乾燥速度向上及びウォータースポット低減の観点から、（Ｂ）成分としては、下記一般式（５）で表されるノニオン性界面活性剤及び一般式（６）で表されるノニオン性界面活性剤からなる群より選ばれる１種以上のノニオン性界面活性剤〔以下、（Ｂ２）成分という〕が好ましい。
HO(CH2CH2O)a(CH(CH3)CH2O)b(CH2CH2O)cH          （５）
HO(CH(CH3)CH2O)d(CH2CH2O)e(CH(CH3)CH2O)fH      （６）
〔式中、ａ、ｂ、ｃ、ｄ、ｅ及びｆは平均付加モル数であり、それぞれ独立して、１〜３５０の数である。〕
【００３５】
一般式（５）、（６）において、ａ、ｂ、ｃ、ｄ、ｅ及びｆは、エチレンオキシド（以下、ＥＯと表記する）ないしプロピレンオキシド（以下、ＰＯと表記する）の平均付加モル数であり、それぞれ独立して、１〜３５０の数である。
【００３６】
（Ｂ２）成分は、何れも、ＥＯとＰＯの合計中、ＥＯを１０モル％以上含むことが好ましく、これを満たすようにａ、ｂ、ｃ、ｄ、ｅ及びｆを選定することが好ましい。
【００３７】
また、（Ｂ２）成分の重量平均分子量は、１，０００〜１５，０００が好ましく、より好ましくは１，５００〜６，０００である。（Ｂ２）成分は、「プルロニック」（Pluronic）、「プルロニックＲ」の商品名でＢＡＳＦ社から入手可能である。（Ｂ２）成分としては、低泡性の観点から、式（６）のノニオン性界面活性剤が好ましい。 
【００３８】
又、低泡性、乾燥速度向上及びウォータースポット低減の観点から、下記一般式（７）で表されるノニオン活性剤、及び一般式（８）で表されるノニオン性界面活性剤から選ばれる１種以上のノニオン性界面活性剤〔以下、（Ｂ３）成分という〕が好ましい。
Ｒ16−Ｏ−(ＥＯ)p−(ＰＯ)q−(ＥＯ)r−Ｈ        （７）
〔式中、Ｒ16は炭素数８〜１８の直鎖のアルキル基又は直鎖のアルケニル基を示し、ＥＯはオキシエチレン基、ＰＯはオキシプロピレン基を示す。ｐ、ｑ、ｒはそれぞれ平均付加モル数を表し、ｐ＝１〜１０、ｑ＝０．５〜５、ｒ＝１〜１０である。〕
Ｒ17−Ｏ−(ＥＯ)s−(ＰＯ)t−Ｈ        （８）
〔式中、Ｒ17は炭素数８〜１８の分岐鎖のアルキル基もしくは分岐鎖のアルケニル基を示し、ＥＯはオキシエチレン基、ＰＯはオキシプロピレン基を示す。ｓ、ｔはそれぞれ平均付加モル数を表し、ｓ＝４〜１０、ｔ＝２〜１０であり、０．３≦（ｔ／ｓ）≦１．５である。〕
【００３９】
一般式（７）において、Ｒ16は炭素数１０〜１４の直鎖のアルキル基又は直鎖のアルケニル基、更に炭素数１０〜１４の直鎖のアルキル基が好ましく、ｐ＝２〜８が好ましく、ｑ＝０．５〜４．５、更に１〜４．５、特に１〜２が好ましく、ｒ＝２〜８が好ましく、ｐ＋ｒ＝１〜３０、更に２〜２０、特に４〜１５が好ましい。一般式（７）の非イオン界面活性剤の具体例として、ポリオキシエチレン（３）ポリオキシプロピレン（１．５）ポリオキシエチレン（３）ラウリルエーテル、ポリオキシエチレン（５）ポリオキシプロピレン（１．５）ポリオキシエチレン（５）ラウリルエーテル、ポリオキシエチレン（５）ポリオキシプロピレン（４．５）ポリオキシエチレン（５）ラウリルエーテル等が挙げられる。ここで、当該化合物に関し（  ）内はエチレンオキサイド又はプロピレンオキサイドの平均付加モル数である（以下同様）。
【００４０】
一般式（８）において、Ｒ17は炭素数１０〜１４の分岐鎖のアルキル基又は分岐鎖のアルケニル基、更に炭素数１０〜１４の分岐鎖のアルキル基が好ましい。また、Ｒ17の炭素数１０〜１４の分岐鎖のアルキル基又は分岐鎖のアルケニル基の中でも、炭素数１０〜１４の２級アルキル基又は２級アルケニル基が好ましい。一般式（８）中、ｓ＝５〜９が好ましく、ｔ＝５〜１０が好ましい。一般式（８）の非イオン界面活性剤の具体例として、ポリオキシエチレン（７）ポリオキシプロピレン（８．５）−ｓｅｃ−ドデシルエーテル、ポリオキシエチレン（７）ポリオキシプロピレン（８．５）−ｓｅｃ−トリデシルエーテル、ポリオキシエチレン（７）ポリオキシプロピレン（８．５）−ｓｅｃ−テトラデシルエーテル等が挙げられる。
【００４１】
また、一般式（８）の化合物は、Ｒ17の分岐鎖（好ましくは２級）アルキル基又は分岐鎖（好ましくは２級）アルケニル基を有する分岐鎖（好ましくは２級）アルコールにＥＯを付加した後、ＰＯを付加することで合成できる。
【００４２】
また、（Ｂ３）成分の重量平均分子量は、２００〜５，０００が好ましく、より好ましくは２００〜２，０００である。（Ｂ３）成分の中で、一般式（７）の化合物は「エマルゲン」の商品名で花王（株）から入手可能であり、一般式（８）の化合物は「ソフタノール」の商品名で日本触媒（株）から入手可能である。（Ｂ３）成分としては、低泡性、乾燥速度向上及びウォータースポット低減の観点から、一般式（７）のノニオン性界面活性剤が好ましい。
【００４３】
本発明の食器洗浄機用仕上げ剤組成物は、低級アルコールから選ばれる１種以上を含有することができる。低級アルコールとは炭素数１〜４のアルコールであり、具体的には、メタノール、エタノール、ｎ−プロパノール、イソプロパノール、ｎ−ブタノール、イソブタノール、エチレングリコール、プロピレングリコール、グリセリン、ジエチレングリコール、ジエチレングリコールモノエチルエーテル等を挙げることができる。これらの含有量は、乾燥性の観点から、本発明の食器洗浄機用仕上げ剤組成物に対して、好ましくは０．１〜５０重量％、より好ましくは０．５〜３０重量％、更に好ましくは１〜２０重量％、特に好ましくは２〜１５重量％である。
【００４４】
本発明の食器洗浄機用仕上げ剤組成物は、有機高分子化合物を含有することができる。具体的には、天然物由来のデキストリン、カラギーナン、キサンタンガム、グアーガム、ペクチン、ローカストビンガム、あるいはこれらの誘導体、加工デンプン、メチルセルロース、カルボキシメチルセルロースなどの多糖類、また、ポリビニルアルコール、ポリアクリルアミド、ポリエチレンオキシドなどの合成高分子化合物などが挙げられる。これらの含有量は、ウォータースポット低減の観点から、本発明の食器洗浄機用仕上げ剤組成物に対して、好ましくは０．１〜２０重量％、更に好ましくは０．５〜１５重量％、特に好ましくは１〜１０重量％である。
【００４５】
その他、漂白剤、消泡剤、防錆剤、防腐剤、香料等を含有することができる。
【００４６】
上記の成分は、国際公開第９９／５８６３３号パンフレットに記載されているものを参照できる。
【００４７】
＜食器洗浄機用仕上げ剤組成物＞
本発明の食器洗浄機用仕上げ剤組成物は、（Ａ）成分を、乾燥速度向上及びウォータースポット低減の観点から、好ましくは０．１〜１００重量％、より好ましくは０．５〜８０重量％、更に好ましくは１〜６０重量％。特に好ましくは１〜４０重量％。最も好ましくは１〜２５重量％含有する。
【００４８】
本発明の食器洗浄機用仕上げ剤組成物は、（Ｂ）成分を、乾燥速度向上及びウォータースポット低減の観点から、好ましくは０．１〜５０重量％、より好ましくは０．０５〜３０重量％、更に好ましくは０．１〜２０重量％、特に好ましくは０．５〜１０重量％含有する。
【００４９】
本発明の食器洗浄機用仕上げ剤組成物において、（Ａ）成分と（Ｂ）成分の重量比は、仕上がり性とコストのバランスから、（Ａ）／（Ｂ）＝２０／１〜１／２０が好ましく、１５／１〜１／１５がより好ましく、１０／１〜１／１０が更に好ましく、５／１〜１／５が特に好ましい。
【００５０】
本発明の食器洗浄機用仕上げ剤組成物は２０℃における０．２重量％水溶液のｐＨは２〜１４が好ましい。作業安全性の観点から、４〜１３がより好ましく、５〜１２が更に好ましい。なお、ｐＨが２〜１４の範囲内となるように、水酸化ナトリウム、水酸化カリウム、硫酸などのｐＨ調整剤を配合してもよい。
【００５１】
また、本発明の食器洗浄機用仕上げ剤組成物は、使用にあっては水等で適当な濃度に希釈した洗浄液として用いられることが好ましく、かかる洗浄液中の（Ａ）成分の濃度は、仕上がり性の観点から、好ましくは１〜１０，０００ｐｐｍ（重量比）、より好ましくは１〜５，０００ｐｐｍ、更に好ましくは１〜１，０００ｐｐｍ、特に好ましくは５〜８００ｐｐｍである。また、かかる洗浄液中の（Ｂ）成分の濃度は、洗浄力の観点から、好ましくは１〜１０，０００ｐｐｍ、より好ましくは１〜５，０００ｐｐｍ、更に好ましくは１〜１，０００ｐｐｍ、特に好ましくは５〜８００ｐｐｍである。
【００５２】
本発明の食器洗浄機用仕上げ剤組成物は、それ自体は１〜５０，０００ｐｐｍの濃度範囲で濯ぎ水に添加して使用されることが好ましい。経済性、仕上がり性の観点から、より５〜２０，０００ｐｐｍ、更に１０〜１０，０００ｐｐｍ、特に２０〜５，０００ｐｐｍが好ましい。食器の濯ぎ時間は、仕上がり性の観点から、１秒〜１分が好ましく、更に好ましくは、３〜３０秒である。濯ぎ液は水、温水、又は７０〜９０℃の熱水で行われる。
【００５３】
本発明の食器洗浄機用仕上げ剤組成物を用いた食器の仕上げ方法は、食器洗浄機、特に業務用食器洗浄機を用いて行うことが好ましく、通常は、食器洗浄機による濯ぎの際の濯ぎ水中に添加して用いられる。この濯ぎは、食器洗浄機用仕上げ剤組成物の製品形態が液体である場合は、例えば業務用食器洗浄機専用のチューブを食器洗浄機用仕上げ剤組成物が充填されたプラスチック等の容器の中に直接差し込み、チューブポンプを駆動させて、また、粉末若しくは固体の場合は、例えば水や温水をスプレーやシャワー状で食器洗浄機用仕上げ剤組成物に噴霧して、必要量の食器洗浄機用仕上げ剤組成物を業務用食器洗浄機の濯ぎ水の配管へ移送することで、濯ぎ水中に本発明の組成物を供給する。
【００５４】
本発明の食器洗浄機用仕上げ剤組成物を含んだ濯ぎ水の濃度は、一定に維持される必要はなく、例えば、濯ぎ工程の前半は本発明の食器洗浄機用仕上げ剤組成物を移送して濯ぎ、濯ぎ工程の後半は本発明の食器洗浄機用仕上げ剤組成物を含まない濯ぎ水を使用してもよい。その場合、濯ぎ工程の後半は市販されているリンス剤を推奨される濃度で使用してもよい。
【実施例】
【００５５】
表１に示した配合組成の食器洗浄機用仕上げ剤組成物を調製し、以下の方法で洗浄性と仕上がり性（乾燥速度とウォータースポット）、低泡性を評価した。結果を表１に示す。
【００５６】
〔仕上がり性評価〕
・モデル汚垢の作製
新品の８オンスグラスに牛乳１ｇを塗布した後、６０℃にて２時間乾燥したものをモデル汚垢として仕上がり性評価に用いた。
【００５７】
・評価方法１
業務用食器洗浄機〔三洋電機（株）製  ＳＡＮＹＯ  ＤＲ５３〕の洗浄槽（３８Ｌ）に花王（株）製食器洗浄機用洗浄剤「アクシャルＥＮ」３８ｇを投入して、５０℃の温水で溶解させた。専用ラックにモデル汚垢を塗布した８オンスグラス４個をセットして、５０℃の洗浄液にて４０秒間洗浄した後、仕上げ剤成分が０．０１重量％となるように食器洗浄機用仕上げ剤組成物を溶解させた８０℃の濯ぎ水４Ｌを用いて８秒間濯いだ。専用ラックから８オンスグラスを取り出し、２５℃にて乾燥させた。以下に示した判定基準にて乾燥速度とウォータースポットに関する仕上がり性を評価した。
【００５８】
＊乾燥速度の判定基準
◎；グラス１個あたりの平均で、１時間未満で乾燥
○；グラス１個あたりの平均で、１時間以上、１時間３０分未満で乾燥
△；グラス１個あたりの平均で、１時間３０分以上、２時間未満で乾燥
×；グラス１個あたりの平均で、２時間以上で乾燥
【００５９】
＊ウォータースポットの判定基準
◎；ウォータースポットの数がグラス１個あたりの平均で１０個未満
○；ウォータースポットの数がグラス１個あたりの平均で１０個以上２０個未満
△；ウォータースポットの数がグラス１個あたりの平均で２０個以上４０個未満
×；ウォータースポットの数がグラス１個あたりの平均で４０個以上
【００６０】
その結果を表１に示した。本発明の食器洗浄機用仕上げ剤組成物は、乾燥を速め、ウォータースポットを低減することが明らかとなった。 
【００６１】
〔低泡性評価〕
仕上げ剤成分が０．０１重量％となるように食器洗浄機用仕上げ剤組成物を溶解させた濯ぎ水を、試験管に１０ｍｌ入れ、１０秒間振とう後、泡の消える時間を測定した。評価結果は以下の様に判断した。
◎；泡が消えるまで１０秒未満
○；泡が消えるまで１０秒以上６０秒未満
△；泡が消えるまで６０秒以上６００秒未満
×；泡が消えるまで６００秒以上
【００６２】
【表１】
2008156521.tif 000004
【００６３】
（注）表中の成分は以下のものである。
・水溶性高分子化合物（１）：（ａ１）ビニルアルコール：８６．８モル％、（ａ２）酢酸ビニル：１２．３モル％、（ａ３）塩化ジアリルジメチルアンモニウム：０．９モル％、（ａ１）／（ａ２）＝７．１、（ａ１）＋（ａ２）＋（ａ３）＝１００モル％
・水溶性高分子化合物（２）：（ａ１）ビニルアルコール：９９モル％、（ａ２）酢酸ビニル：０．７モル％、（ａ３）塩化メタクリルアミドプロピルトリメチルアンモニウム：０．３モル％、（ａ１）／（ａ２）＝１４１．４、（ａ１）＋（ａ２）＋（ａ３）＝１００モル％
・水溶性高分子化合物（３）：（ａ１）ビニルアルコール：８８．５モル％、（ａ２）酢酸ビニル：９．８モル％、（ａ３）塩化メタクリルアミドプロピルトリメチルアンモニウム：１．７モル％、（ａ１）／（ａ２）＝９．０、（ａ１）＋（ａ２）＋（ａ３）＝１００モル％
・水溶性高分子化合物（４）：（ａ１）ビニルアルコール：７７モル％、（ａ２）酢酸ビニル：２２．９５モル％、（ａ３）塩化メタクリルアミドプロピルトリメチルアンモニウム：０．０５モル％、（ａ１）／（ａ２）＝３．４、（ａ１）＋（ａ２）＋（ａ３）＝１００モル％
・水溶性高分子化合物（５）：（ａ１）ビニルアルコール：７７モル％、（ａ２）酢酸ビニル：２３モル％〔構成単位（ａ３）無し〕
・ノニオン性界面活性剤（１）：PO・EO・POブロックポリマー（商品名：Pluronic RPE2520、BASF社製）
・ノニオン性界面活性剤（２）：ポリオキシエチレン−ポリオキシプロピレン−ポリオキシエチレンラウリルエーテル〔商品名：エマルゲンＬＳ１０６、花王（株）製〕
・ノニオン性界面活性剤（３）：カプリン酸グリセリル〔商品名：サンソフトNo．707H、太陽化学（株）製〕
・ノニオン性界面活性剤（４）：第２級高級アルコールエトキシレート〔商品名：ソフタノール７０、日本触媒（株）製〕